(57)【要約】電動式ブラインドが、ヘッドレール、ヘッドレールから吊り下げられる底部、及び、ヘッドレールと底部との間に配置されるカバー構造を含む。電気モータがヘッドレールに配置され、底部の鉛直な変位を駆動するように動作可能である。ブラインドは、電気モータに電気的に接続されるとともに、ヘッドレールから外方に吊り下げられる制御インタフェースを更に含む。制御インタフェースは、底部を上げ下げするように電気モータの回転を制御するよう動作可能である。細長い管をヘッドレールの外側に更に配置できる。細長い管はヘッドレールに接続される上側端を有し、制御インタフェースは細長い管の下側端に隣接して組み付けられる。【選択図】図１
2016509644.tif 000002
【特許請求の範囲】
【請求項１】
ブラインドであって、
ヘッドレール、該ヘッドレールから吊り下げられる底部、及び、前記ヘッドレールと前記底部との間に配置されるカバー構造、
前記ヘッドレールに配置され、前記底部に動作可能に接続される巻取ユニットであって、前記ヘッドレールに対する前記底部の鉛直な変位を駆動するように回転する、巻取ユニット、
前記ヘッドレールに配置され、前記巻取ユニットの回転を駆動するように動作可能である電気モータ、
前記電気モータに電気的に接続される制御インタフェースであって、前記電気モータを、前記底部を上げるように第１の方向へ、及び、前記底部を下げるように第２の方向へ、回転を制御するよう動作可能である、制御インタフェース、並びに、
前記ヘッドレールの外側に配置される細長い管であって、互いに反対側にある第１の端及び第２の端を有し、前記第１の端は前記ヘッドレールに回動可能に接続され、前記制御インタフェースは該細長い管の前記第２の端に隣接して組み付けられる、細長い管、を備える、
ブラインド。
【請求項２】
前記細長い管は前記ヘッドレールの一方の横方向端部から鉛直方向下方に延在することを特徴とする、請求項１に記載のブラインド。
【請求項３】
前記制御インタフェースは、前記細長い管の内部を通して経路付けられるケーブルアセンブリに接続されることを特徴とする、請求項１に記載のブラインド。
【請求項４】
前記ケーブルアセンブリは、前記制御インタフェースが発する、前記電気モータを制御する制御信号、及び、前記制御インタフェースへの電源信号を送信することを特徴とする、請求項３に記載のブラインド。
【請求項５】
前記ケーブルアセンブリは、前記制御インタフェースに接続される第１の末端、及び、前記ヘッドレールに配置される第２の末端を有することを特徴とする、請求項３に記載のブラインド。
【請求項６】
前記第２の末端は前記電気モータに接続されることを特徴とする、請求項５に記載のブラインド。
【請求項７】
前記細長い管の前記第１の端は、回動継手を介して前記ヘッドレールに接続され、前記ケーブルアセンブリは前記回動継手を通り、前記ヘッドレールの内部を通して経路付けられることを特徴とする、請求項３に記載のブラインド。
【請求項８】
前記回動継手は、前記細長い管の前記第１の端に固着される第１の継手部分、及び、前記ヘッドレールの端部キャップに固着されるとともに前記第１の継手部分に回動可能に接続される第２の継手部分を含み、前記第１の継手部分及び前記第２の継手部分は、前記ケーブルアセンブリを通すために筒状の形状を有することを特徴とする、請求項７に記載のブラインド。
【請求項９】
前記巻取ユニットは、吊り紐を介して前記底部に動作可能に接続され、前記吊り紐は、前記巻取ユニット及び前記底部にそれぞれ接続される第１の端及び第２の端を有することを特徴とする、請求項１に記載のブラインド。
【請求項１０】
前記制御インタフェースは、前記電気モータを前記第１の方向又は前記第２の方向に選択的に回転させるように動作可能な１つ又は複数のボタンを含むことを特徴とする、請求項１に記載のブラインド。
【請求項１１】
前記電気モータは、回転軸に接続される出力部を有し、前記巻取ユニットは前記回転軸と同軸に組み付けられることを特徴とする、請求項１に記載のブラインド。
【請求項１２】
前記電気モータは、前記制御インタフェースに組み込まれる電源によって給電されることを特徴とする、請求項１に記載のブラインド。
【請求項１３】
前記細長い管は、プラスチック材料製の中空の棒であることを特徴とする、請求項１に記載のブラインド。
【請求項１４】
ブラインドであって、
ヘッドレール、該ヘッドレールから吊り下げられる底部、及び、前記ヘッドレールと前記底部との間に配置されるカバー構造、
前記ヘッドレールに対する前記底部の鉛直な変位を駆動して前記カバー構造を折り畳み、また展開させるように動作可能な電気モータを含む作動機構、
ケーブルアセンブリを介して前記電気モータに電気的に接続される制御インタフェースであって、前記電気モータを、前記底部を上げるように第１の方向へ、及び、前記底部を下げるように第２の方向へ、回転を制御するよう動作可能である、制御インタフェース、並びに、
前記ヘッドレールの外側に配置される細長い管であって、互いに反対側にある第１の端及び第２の端を有し、前記第１の端は前記ヘッドレールに接続され、前記制御インタフェースは該細長い管の前記第２の端において吊り下げられ、前記ケーブルアセンブリは前記細長い管の内部を通して経路付けられる、細長い管、を備える、
ブラインド。
【請求項１５】
前記細長い管は前記ヘッドレールの一方の横方向端部から鉛直方向下方に延在することを特徴とする、請求項１４に記載のブラインド。
【請求項１６】
前記ケーブルアセンブリは、前記制御インタフェースに接続される第１の末端、及び、前記ヘッドレールに配置される第２の末端を有することを特徴とする、請求項１４に記載のブラインド。
【請求項１７】
前記細長い管の前記第１の端は、回動継手を介して前記ヘッドレールに接続され、前記ケーブルアセンブリは前記回動継手を通り、前記ヘッドレールの内部を通して経路付けられることを特徴とする、請求項１４に記載のブラインド。
【請求項１８】
前記回動継手は、前記細長い管の前記第１の端に固着される第１の継手部分、及び、前記ヘッドレールの端部キャップに固着されるとともに前記第１の継手部分に回動可能に接続される第２の継手部分を含み、前記第１の継手部分及び前記第２の継手部分は、前記ケーブルアセンブリを通すために筒状の形状を有することを特徴とする、請求項１７に記載のブラインド。
【請求項１９】
前記制御インタフェースは、前記電気モータを前記第１の方向又は前記第２の方向に選択的に回転させるように動作可能な１つ又は複数のボタンを含むことを特徴とする、請求項１４に記載のブラインド。
【請求項２０】
前記電気モータは、回転軸に接続される出力部を有し、前記作動機構は、前記回転軸と同軸に組み付けられる巻取ユニットを更に含むことを特徴とする、請求項１４に記載のブラインド。
【請求項２１】
前記電気モータは、前記制御インタフェースに組み込まれる電源によって給電されることを特徴とする、請求項１４に記載のブラインド。
【発明の詳細な説明】
【技術分野】
【０００１】
本発明は電動式ブラインドに関する。
【０００２】
［関連出願の相互参照］
本ＰＣＴ出願は、２０１３年４月１７日に出願された米国仮特許出願第６１／８１２，７４４号、及び、２０１３年８月６日に出願された米国仮特許出願第６１／８６２，５９４号（これらは参照により本明細書に援用される）の双方に対する優先権をそれぞれ主張する。
【背景技術】
【０００３】
特定のブラインドには、ブラインドを便利に上げ下げすることを可能にするモータを設けることができる。モータ及びその電源は、窓枠の上部に取り付けられる支持構造に配置でき、モータの動作を無線制御するために遠隔制御装置を提供できる。このタイプの電動式ブラインドは、比較的高額な製品に好適であるが、製造コストがより高くなるため低額な製品には好適ではない。
【発明の概要】
【発明が解決しようとする課題】
【０００４】
したがって、操作が簡便であり、製造がより安価であり、少なくとも上記の問題を対処可能な電動式ブラインドが必要とされている。
【課題を解決するための手段】
【０００５】
本願は、電動式作動機構、及び、外方に吊り下げられるとともに作動機構の動作を制御するように動作可能な制御インタフェースを有する電動式ブラインドについて記載する。
【０００６】
１つの実施形態では、電動式ブラインドは、ヘッドレール、ヘッドレールから吊り下げられる底部、及び、ヘッドレールと底部との間に配置されるカバー構造を含む。巻取ユニットがヘッドレールに配置され、底部に動作可能に接続され、巻取ユニットは、ヘッドレールに対する底部の鉛直な変位を駆動するように回転する。電気モータがヘッドレールに配置され、巻取ユニットの回転を駆動するように動作可能である。ブラインドは、電気モータに電気的に接続される制御インタフェース、及び、ヘッドレールの外側に配置される細長い管を更に含む。制御インタフェースは、電気モータを、底部を上げるように第１の方向へ、及び、底部を下げるように第２の方向へ、回転を制御するよう動作可能である。細長い管は、互いに反対側にある第１の端及び第２の端を有し、第１の端はヘッドレールに回動可能に接続され、制御インタフェースは細長い管の第２の端に隣接して組み付けられる。
【０００７】
別の実施形態では、電動式ブラインドは、電動式作動機構、制御インタフェース、及び、ヘッドレールの外側に配置される細長い管を含む。作動機構は、ヘッドレールに対する底部の鉛直な変位を駆動してカバー構造を折り畳み、また展開させるように動作可能な電気モータを含む。制御インタフェースは、ケーブルアセンブリを介して電気モータに電気的に接続され、制御インタフェースは、電気モータを、底部を上げるように第１の方向へ、及び、底部を下げるように第２の方向へ、回転を制御するよう動作可能である。細長い管は、互いに反対側にある第１の端及び第２の端を有し、第１の端はヘッドレールに接続され、制御インタフェースは細長い管の第２の端において吊り下げられ、ケーブルアセンブリは細長い管の内部を通して経路付けられる。
【図面の簡単な説明】
【０００８】
【図１】電動式ブラインドの一実施形態を示す斜視図である。
【図２】電動式ブラインドにおいて用いられる巻取ユニットの構成を示す概略図である。
【図３】電動式ブラインドにおいて用いられる制御インタフェースのアセンブリを示す概略図である。
【図４】図３に示されているアセンブリの分解図である。
【図５】制御インタフェースに隣接して組み付けられる細長い管の断面図である。
【図６】制御インタフェース及び細長い管を含む電動式ブラインドの一部を示す概略図である。
【図７】ブラインドを下げる例示的な操作を示す概略図である。
【図８】ブラインドを下げるために回転軸の回転を駆動する電気モータを示す拡大図である。
【図９】ブラインドを上げる例示的な操作を示す概略図である。
【図１０】ブラインドを上げるために回転軸の回転を駆動する電気モータを示す拡大図である。
【図１１】遠隔無線制御装置を含む電動式ブラインドの別の変形実施形態を示す概略図である。
【図１２】電動式ブラインドの別の実施形態を示す斜視図である。
【図１３】図１２に示されている電動式ブラインドにおいて使用される制御インタフェースの構成を示す分解図である。
【図１４】電動式ブラインドのまた別の実施形態を示す斜視図である。
【発明を実施するための形態】
【０００９】
図１は、電動式ブラインド１００の１つの実施形態を示す斜視図である。ブラインド１００は、ヘッドレール１０２、底部１０４、及び、ヘッドレール１０２と底部１０４との間に配置されるカバー構造１０６を含むことができる。
カバー構造１０６は、ヘッドレール１０２に隣接して配置される上側端、及び、底部１０４に隣接して配置される下側端を有することができる。底部１０４は、細長いレール又は重り要素として形成できる。１つの実施形態では、カバー構造１０６は、布材料から作られるハニカム構造であることができ、複数のセルを含むことができる。ハニカム構造は、ヘッドレール１０２及び底部１０４にそれぞれ固着される上側端及び下側端を有することができる。他の実施形態では、カバー構造１０６は、ヘッドレール１０２から吊り下げられる複数のスラットによって形成できる。
【００１０】
ブラインド１００は、底部１０４を上げ下げし、カバー構造１０６を折り畳み、また展開させるように動作可能な電動式作動機構１０８、及び、作動機構１０８に動作可能に接続される制御インタフェース１２０も含むことができる。作動機構１０８は、複数の巻取ユニット１１２、巻取ユニット１１２にそれぞれ関連付けられる吊り紐１１４、回転軸１１６及び電気モータ１１８を含むことができる。制御インタフェース１２０は、電気モータ１１８に電気的に接続でき、電気モータ１１８の動作を制御して、カバー構造１０６を折り畳み、また展開させるように動作可能とすることができる。
【００１１】
巻取ユニット１１２は、離間した位置においてヘッドレール１０２に組み付け可能であり、回転軸１１６を中心に同軸に組み付け可能である。図２は、巻取ユニット１１２の構成を示す概略図である。巻取ユニット１１２は、例示的には、ケーシング１１２Ａ、及び、ケーシング１１２Ａ内に回動可能に組み付けられるとともに回転軸１１６に組み付けられるドラム１１２Ｂを含むことができる。巻取ユニット１１２はそれによって、回転軸１１６に回転可能に連結できる。
【００１２】
吊り紐１１４のそれぞれは、１つの対応する巻取ユニット１１２のドラム１１２Ｂに接続される上側端、及び、底部１０４に接続される下側端を有することができる。底部１０４はそれによって、ヘッドレール１０２の下に鉛直に吊り下げ可能である。吊り紐１１４は、カバー構造１０６に形成される貫通孔を通ることができる。
【００１３】
回転軸１１６は、巻取ユニット１１２のドラム１１２Ｂを通して組み付けることができ、それによって、巻取ユニット１１２のドラム１１２Ｂ及び回転軸１１６は一致して回転できる。
【００１４】
電気モータ１１８は、取り付け具を介してヘッドレール１０２内に組み付けることができる。１つの実施形態では、取り付け具は、ヘッドレール１０２に固着される２つのブラケット１３０を含むことができる。電気モータ１１８の外側ケーシングをブラケット１３０に嵌め、ヘッドレール１０２に固定して保持できる。電気モータ１１８は、回転軸１１６に回転可能に連結される出力部を有することができ、底部１０４を上げ下げするように２つの異なる方向に回転軸１１６の回転を駆動できる。
【００１５】
電源１３２を、電気モータ１１８に電力を提供するためにヘッドレール１０２に配置できる。１つの実施形態では、電源１３２は電槽であり得る。電源１３２は、電気モータ１１８から離間した位置に配置でき、例えば、１つの巻取ユニット１１２を電気モータ１１８と電源１３２との間に配置できる。電源１３２は、設置又は交換を容易にするようにヘッドレール１０２内の任意の好適な位置に概ね配置できる。ケーブル又は配線で電源１３２と電気モータ１１８とを電気的に接続できる。
【００１６】
図１と併せて、図３〜図６は、制御インタフェース１２０のアセンブリを示す概略図である。制御インタフェース１２０は、１つ又は複数のケーブルセグメントによって形成できるケーブルアセンブリ１３４を介して電気モータ１１８に電気的に接続できる。ケーブルアセンブリ１３４は、制御インタフェース１２０からの制御信号を電気モータ１１８に、及び、電源１３２からの電源信号を制御インタフェース１２０に搬送できる。ケーブルアセンブリ１３４は、ヘッドレール１０２に沿って経路付けられ、ヘッドレール１０２の横方向端の近くに位置付けられる開口を介してヘッドレール１０２を出ることができる。
【００１７】
１つの実施形態では、制御インタフェース１２０は、２つのハウジング部分１３６Ａ及び１３６Ｂのアセンブリによって形成されるハウジング１３６、２つのボタンパッド１３８Ａ及び１３８Ｂが設けられる回路基板１３８、並びに、２つのボタンパッド１３８Ａ及び１３８Ｂにそれぞれ関連付けられる２つのボタンカバー１４０Ａ及び１４０Ｂを含むことができる。
【００１８】
ハウジング１３６は、手による把持を容易にする任意の形状を有することができる。ハウジング１３６は、回路基板１３８を組み付けることができる内部を有することができる。ハウジング１３６の外面は複数の開口１４３Ａ及び１４３Ｂも含むことができ、複数の開口１４３Ａ及び１４３Ｂを通して、ボタンカバー１４０Ａ及び１４０Ｂを、回路基板１３８のボタンパッド１３８Ａ及び１３８Ｂと位置合わせして拘束するように位置決めできる。ボタンパッド１３８Ａとボタンカバー１４０Ａとのアセンブリは、制御インタフェース１２０のボタン１４２Ａを形成でき、ボタンパッド１３８Ｂとボタンカバー１４０Ｂとのアセンブリは、制御インタフェース１２０の別のボタン１４２Ｂを形成できる。
【００１９】
２つのボタン１４２Ａ及び１４２Ｂを使用して電気モータ１１８の動作を制御できる。例えば、ボタン１４２Ａを押すことによって、底部１０４を上げるように第１の方向への電気モータ１１８の回転を起動でき、ボタン１４２Ｂを押すことによって、底部１０４を下げるように第２の方向への電気モータ１１８の回転を起動できる。
【００２０】
ケーブルアセンブリ１３４は、回路基板１３８に電気的に接続される第１の末端、及び、ヘッドレール１０２に配置される第２の末端を有することができる。ヘッドレール１０２の外側に延在するケーブルアセンブリ１３４のセグメント１３４Ａを、ヘッドレール１０２の横方向端部から鉛直方向下方に延在する細長い管１４４を通して経路付けできる。細長い管１４４は、ヘッドレール１０２の外側でケーブルアセンブリ１３４のセグメント１３４Ａを実質的に包囲する実質的に直線的な形状を有することができる。１つの実施形態では、細長い管１４４は、プラスチック材料製であるとともにケーブルアセンブリ１３４が通る中空の内部を有する中空の棒であり得る。細長い管１４４は、制御インタフェース１２０にしっかりと固定される（例えば、制御インタフェース１２０のハウジング１３６に固着される）端１４４Ａ、及び、ヘッドレール１０２の外側に配置される回動継手１４６に接続される別の端１４４Ｂを有することができる。細長い管１４４の端１４４Ａは、例えばスロット及びリブの係合によってハウジング１３６に固定できる。細長い管１４４の端１４４Ａを制御装置１２０のハウジング１３６に取り付ける他の可能な方法としては、溶接、接着等が挙げられる。
【００２１】
図３〜図６を参照する。ヘッドレール１０２の横方向端には端部キャップ１４８を固着できる。回動継手１４６は、細長い管１４４の端１４４Ｂに固着される第１の継手部分１４６Ａ、及び、端部キャップ１４８に固着されるとともに第１の継手部分１４６Ａに回動可能に接続される第２の継手部分１４６Ｂを含むことができる。第１の継手部分１４６Ａ及び第２の継手部分１４６Ｂは、ケーブルアセンブリ１３４を通すために筒状の形状を有することができる。
【００２２】
上述した構成の場合、制御インタフェース１２０を、細長い管１４４によってヘッドレール１０２の下に吊り下げ可能である。細長い管１４４の長さは、カバー構造１０６の最大の展開よりも小さいが、細長い管１４４の下側端１４４Ａにおいて保持される制御インタフェース１２０への容易なアクセスを可能にするように十分に長くできる。その上、細長い管１４４及び制御インタフェース１２０は、回動継手１４６を中心にヘッドレール１０２に対して種々の角度位置まで一致して回動し、制御インタフェース１２０の把持及び操作を容易にできる。さらに、細長い管１４４は、ケーブルアセンブリ１３４への保護を提供し、ケーブルアセンブリ１３４の不所望の絡まり又は損傷を防止できるようにするのが望ましい。
【００２３】
細長い管１４４は他の構成とすることができることが理解されるであろう。例えば、細長い管１４４は、ケーブルアセンブリ１３４を通して配置できる、鉛直方向下方に延在する可撓性のプラスチック管として形成できる。他の実施形態では、回動継手１４６は省くことができ、細長い管１４４の端１４４Ｂは、ヘッドレール１０２の外側に隣接して位置付けられる自由端であり得る。
【００２４】
図１〜図６と併せて、図７〜図１０は、電動式ブラインド１００の例示的な操作を示す概略図である。ユーザがボタン１４２Ｂを押すと、電気制御信号が制御インタフェース１２０からケーブルアセンブリ１３４に沿って送信され、電気モータ１１８の回転を起動し、これによって、（図７及び図８に示されているように）底部１０４を下げる方向に回転軸１１６を回転駆動する。ユーザがボタン１４２Ａを押すと、別の電気制御信号が制御インタフェース１２０からケーブルアセンブリ１３４に沿って送信され、電気モータ１１８の回転を起動し、これによって、（図９及び図１０に示されているように）底部１０４を上げる他の方向に回転軸１１６を回転駆動する。
【００２５】
図１１は、電動式ブラインド１００の変形実施形態を示す概略図である。この実施形態では、制御インタフェース１２０’に加えて遠隔無線制御装置１６０を更に提供できる。遠隔無線制御装置１６０は、複数のボタンを含むことができ、制御インタフェース１２０’に組み込まれる無線通信インタフェースと無線通信できる。したがって、ユーザは、遠隔無線制御装置１６０のボタンのいずれかを操作でき、遠隔無線制御装置１６０は無線信号（例えば赤外線信号）を制御インタフェース１２０’に送ることができ、制御インタフェース１２０’はさらに、対応する電気制御信号をケーブルアセンブリ１３４に沿って送信し、電気モータ１１８の回転を起動して底部１０４を上げ下げする。遠隔無線制御装置１６０と相互作用する制御インタフェース１２０’は、設計上の必要性に従って、電気モータ１１８の回転を制御するようにユーザが操作可能なボタンを有しても又は有さなくてもよい。
【００２６】
図１２は、前述した制御インタフェース１２０の代わりに制御インタフェース１７０を用いることができる別の変形実施形態を示す概略図である。前述したように、制御インタフェース１７０は、細長い管１４４を通して配置される（図１３に最も良く示されているような）ケーブルアセンブリ１３４を介して電気モータ１１８に電気的に接続でき、細長い管１４４の下側端においてヘッドレール１０２から吊り下げ可能である。しかし、この実施形態では、ヘッドレール１０２は電源１３２を含まない。その代わりに、制御インタフェース１７０は、ケーブルアセンブリ１３４を介して電気モータ１１８に電力を提供できる遠隔の電源を一体化するように構成できる。
【００２７】
図１２と併せて、図１３は、制御インタフェース１７０の構成を示す分解図である。制御インタフェース１７０は、ケーシング１７２、複数のバッテリ１７６を配置できる、ケーシング１７２に画定されるバッテリ区画１７４、及び、制御ボタン１７８を含むことができる。これによって、電力を、バッテリ１７６からケーブルアセンブリ１３４を通じて電気モータ１１８に送ることができる。
１つの実施形態では、制御ボタン１７８は、底部１０４を所望の位置に保つように電気モータ１１８を停止させる第１の状態、制御信号を制御インタフェース１７０からケーブルアセンブリ１３４を通じて電気モータ１１８に送って底部１０４を上げる方向に回転させる第２の状態、及び、別の制御信号を制御インタフェース１７０からケーブルアセンブリ１３４を通じて電気モータ１１８に送って底部１０４を下げる別の方向に回転させる第３の状態、の３つの状態を有することができる。
【００２８】
電源は制御インタフェース１７０に一体化されるため、交換又は修理のための電源へのアクセスを容易にできる。例えば、制御インタフェース１７０の下側への配置は、電気モータ１１８に給電するのに使用されるバッテリ１７６の交換を容易にできる。
【００２９】
図１４は、電動式ブラインド２００の別の実施形態を示す概略図である。前述したように、ブラインド２００は、ヘッドレール１０２、底部１０４、ヘッドレール１０２と底部１０４との間に配置されるカバー構造１０６、及び、カバー構造１０６を折り畳み、また展開させるために底部１０４を上げ下げするように動作可能な電動式作動機構１０８を含むことができる。作動機構１０８は同様に、巻取ユニット１１２、巻取ユニット１１２にそれぞれ関連付けられる吊り紐１１４、回転軸１１６及び電気モータ１１８を含むことができる。さらに、制御インタフェース１７０を、ケーブルアセンブリ２３４を介して電気モータ１１８に電気的に接続できる。
【００３０】
ブラインド２００には細長い管１４４は設けられていない。したがって、ケーブルアセンブリ２３４は、ヘッドレール１０２に固着される端部キャップ２３８を通して形成される開口２３６を通ってヘッドレール１０２の外側に延在できる。ケーブルアセンブリ２３４の、ヘッドレール１０２の外側に延在する部分は、外方に露出でき、制御インタフェース１７０をケーブルアセンブリ２３４の下側端において吊り下げ可能である。
１つの実施形態では、ケーブルアセンブリ２３４の、ヘッドレール１０２の外側に延在する部分は、２つのケーブルセグメント２３４Ａ及び２３４Ｂ、並びに、２つのケーブルセグメント２３４Ａ及び２３４Ｂを通して互いに着脱可能に接続させることができるコネクタアセンブリ２４０を含むことができる。例えば、コネクタアセンブリ２４０は、ケーブルセグメント２３４Ａの端に固着される第１のコネクタ２４０Ａ、及び、ケーブルセグメント２３４Ｂの端に固着されるとともに第１のコネクタ２４０Ａに着脱可能に接続できる第２のコネクタ２４０Ｂを含むことができる。
【００３１】
２つのケーブルセグメント２３４Ａ及び２３４Ｂがコネクタ２４０Ａ及び２４０Ｂを互いから切り離すことによって分離されると、制御インタフェース１７０から電気モータ１１８に電力を供給できない。これによって、制御インタフェース１７０の独立した保管を可能にできる。
【００３２】
ブラインド２００が操作されるとき、コネクタ２４０Ａ及び２４０Ｂを互いに接続でき、それによって、電源を制御インタフェース１７０からケーブルアセンブリ２３４に沿って電気モータ１１８に送ることができる。次に、制御インタフェース１７０を操作してブラインド２００を上げ下げできる。
【００３３】
制御インタフェース１７０の簡便な配置のために、固定ブラケット２４４も提供できる。保持ブラケット２４４は、家の一部（例えば壁）に固着でき、制御インタフェース１７０を保持ブラケット２４４によって定位置に保持できる。
【００３４】
本明細書において記載される電動式ブラインドは、ヘッドレール内の作動機構に電気的に接続される制御インタフェースを含む。制御インタフェースは、ヘッドレールの外側に吊り下げられ、作動機構の電気モータを動作させるために簡便にアクセスできる。
【００３５】
構造の具体化は、特定の実施形態の文脈のみにおいて記載した。これらの実施形態は、例示的なものであることが意図され、限定的ではない。多くの変形形態、変更形態、付加及び改良が可能である。したがって、１つの例として本明細書において記載される構成要素に関して複数の例を提供できる。例示的な構成において別個の構成要素として提示される構造及び機能は、組み合わせられる構造又は構成要素として実現できる。これら及び他の変形形態、変更形態、付加及び改良は、添付の特許請求の範囲内に含まれる。
【図１】
2016509644.tif 000003
【図２】
2016509644.tif 000004
【図３】
2016509644.tif 000005
【図４】
2016509644.tif 000006
【図５】
2016509644.tif 000007
【図６】
2016509644.tif 000008
【図７】
2016509644.tif 000009
【図８】
2016509644.tif 000010
【図９】
2016509644.tif 000011
【図１０】
2016509644.tif 000012
【図１１】
2016509644.tif 000013
【図１２】
2016509644.tif 000014
【図１３】
2016509644.tif 000015
【図１４】
2016509644.tif 000016
【国際調査報告】
2016509644.tif 000017
2016509644.tif 000018
2016509644.tif 000019